(57)【特許請求の範囲】
【請求項１】
シューズのソール構造体であって、
上方に配置された上部プレートと、
前記上部プレートの下方に配置された下部プレートと、
前記上下部プレート間において前後方向に分離して複数個設けられ、前記上下部プレート間に空隙を形成しつつ、前記上部プレートの下面および前記下部プレートの上面を弾性的に連結する連結部とを備え、
前記連結部の上端が、前記上部プレートの前記下面を越えて前記上部プレートの側面まで上方に延設されるとともに、前記上部プレート側面に固着されている、
ことを特徴とするシューズのソール構造体。
【請求項２】
請求項１において、
前記上部プレートがその側縁部から上方に張り出す巻上げ部を有しており、前記連結部の前記上端が前記巻上げ部の側面まで上方に延設されるとともに、前記巻上げ部側面に固着されている、
ことを特徴とするシューズのソール構造体。
【請求項３】
請求項１または２において、
前記連結部の前記上端が、前記上部プレート側面または前記巻上げ部側面において、前後方向に張り出す張出部を有している、
ことを特徴とするシューズのソール構造体。
【請求項４】
請求項３において、
前記連結部が側面視Ｔ字状の部材である、
ことを特徴とするシューズのソール構造体。
【請求項５】
請求項１ないし４のいずれかにおいて、
前記連結部の前記上端が、前記上部プレート側面または前記巻上げ部側面において前後方向に連結されている、
ことを特徴とするシューズのソール構造体。
【請求項６】
シューズのソール構造体であって、
上方に配置された上部プレートと、
前記上部プレートの下方に配置された下部プレートと、
前記上下部プレート間において前後方向に分離して複数個設けられ、前記上下部プレート間に空隙を形成しつつ、前記上部プレートの下面および前記下部プレートの上面を弾性的に連結する連結部とを備え、
前記連結部の下端が、前記下部プレートの前記上面を越えて前記下部プレートの側面まで下方に延設されるとともに、前記側面に固着されている、
ことを特徴とするシューズのソール構造体。
【請求項７】
請求項６において、
前記連結部の前記下端が、前記下部プレートの前記側面において、前後方向に張り出す張出部を有している、
ことを特徴とするシューズのソール構造体。
【請求項８】
請求項６または７において、
前記連結部の前記下端が、前記下部プレート側面において前後方向に連結されている、
ことを特徴とするシューズのソール構造体。
【請求項９】
請求項６において、
前記下部プレートの下面にアウトソールが設けられ、前記アウトソールが前記下部プレートの側面を越えて上方に延設されており、前記連結部の下方への延設部が、前記アウトソールの上方への延設部と一体化されている、
ことを特徴とするシューズのソール構造体。
【請求項１０】
請求項１ないし９のいずれかにおいて、
前記連結部が、前記上下部プレート間において上下方向に柱状に延びる部材から構成され、当該ソール構造体の内甲側または外甲側に配置されている、
ことを特徴とするシューズのソール構造体。
【請求項１１】
請求項１ないし９のいずれかにおいて、
前記連結部が、前記上下部プレート間において上下方向に柱状に延びる部材から構成され、当該ソール構造体の内甲側および外甲側に配置されている、
ことを特徴とするシューズのソール構造体。
【請求項１２】
請求項１ないし９のいずれかにおいて、
前記連結部が、当該ソール構造体の幅方向全体にわたって延びている、
ことを特徴とするシューズのソール構造体。
【請求項１３】
請求項１ないし９のいずれかにおいて、
前記上部プレートが、下凸状湾曲部および上凸状湾曲部を交互に配置してなる凹凸形状を有しており、前記連結部が前記下凸状湾曲部に設けられている、
ことを特徴とするシューズのソール構造体。
【請求項１４】
請求項１ないし９のいずれかにおいて、
前記下部プレートが、下凸状湾曲部および上凸状湾曲部を交互に配置してなる凹凸形状を有しており、前記連結部が前記上凸状湾曲部に設けられている、
ことを特徴とするシューズのソール構造体。
【請求項１５】
請求項１において、
前記下部プレートの下面にアウトソールが設けられ、前記アウトソールが、当該ソール構造体の踵部の後端において上方に延設された延設部を有するとともに、当該ソール構造体の踵部の後端において前記上下部プレート間に空隙を形成しかつ前記上下部プレート間を弾性的に連結する前記連結部が前記アウトソールの前記延設部から構成されている、
ことを特徴とするシューズのソール構造体。
【発明の詳細な説明】
【技術分野】
【０００１】
本発明は、シューズ用ソール構造体に関し、詳細には、クッション性を向上させるとともにスムーズなライド感を生じさせ、かつ横方向の安定性を向上させるための構造の改良に関する。
【背景技術】
【０００２】
ソール構造体として、たとえば国際公開第２００６／１２９８３７号パンフレットに示すものが本件出願人により提案されている。このソール構造体は、上部プレートと、その下方に配設され、上部プレートとの間で空隙を形成する２つの膨出部を有する波状の下部プレートと、各膨出部間に形成された上凸部分を上部プレートに連結する弾性ブロックとから構成されている。
【０００３】
また、特開平９−２４８２０３号公報には、上方に配置された合成樹脂板製の分散部と、下方に配置された接地部と、分散部および接地部間に配設され、前後方向に連続する複数のＶ字状部からなる緩衝部とから構成されたミッドソール構造が示されている。各Ｖ字状部の各上端は、分散部の側縁部まで延設されている。
【発明の概要】
【発明が解決しようとする課題】
【０００４】
上述した国際公開第２００６／１２９８３７号パンフレットに示すソール構造体においては、シューズの着地時には、下部プレートの各膨出部が扁平となるように圧縮変形することで、上下部プレート間の空隙がクッションホールとして作用して、衝撃荷重が吸収される。
【０００５】
また、この場合、歩行中または走行中には、弾性ブロックが前後方向にせん断変形することで上部プレートが前後に揺動することができ、これにより、スムーズなライド感が達成される。
【０００６】
しかしながら、このソール構造体では、シューズの着地時には、弾性ブロックが前後方向のみならず左右方向にもせん断変形し得るように構成されており、このため、弾性ブロックの剛性如何によっては、シューズの着地時に上部プレートが左右方向にも揺動する場合が起こり得る。
【０００７】
その一方、上記特開平９−２４８２０３号公報には、シューズの着地時に接地部に作用した衝撃力が緩衝部の各Ｖ字状部で分散されて分散部に伝播されることによりクッション性が向上する、と記載されている。
【０００８】
また、この場合、複数のＶ字状部の各上端が分散部の側縁部まで延設されていることで、シューズ着地時の横揺れをある程度防止することが可能であるかもしれない。
【０００９】
しかしながら、このミッドソール構造では、緩衝部が前後方向に連続する複数のＶ字状部から構成され、しかも各Ｖ字状部の各上端が分散部に固着されているために、各Ｖ字状部が前後方向にせん断変形しにくい構造になっており、このため、歩行中または走行中には、上方に配置された分散部が前後に揺動することができず、その結果、スムーズなライド感を得ることは困難である。
【００１０】
本発明は、このような従来の実情に鑑みてなされたもので、本発明が解決しようとする課題は、クッション性を向上できるとともにスムーズなライド感を得ることができ、しかも横方向の安定性を向上できるシューズ用ソール構造体を提供しようとしている。
【課題を解決するための手段】
【００１１】
請求項１の発明に係るシューズ用ソール構造体は、上方に配置された上部プレートと、上部プレートの下方に配置された下部プレートと、上下部プレート間において前後方向に分離して複数個設けられ、上下部プレート間に空隙を形成しつつ、上部プレートの下面および下部プレートの上面を弾性的に連結する連結部とを備えている。連結部の上端は、上部プレートの下面を越えて上部プレートの側面まで上方に延設されるとともに、上部プレート側面に固着されている。
【００１２】
請求項１の発明においては、シューズの着地時には、上下部プレート間に形成された空隙が圧縮変形することで、空隙がクッションホールとして作用して、衝撃荷重が吸収される。
【００１３】
また、この場合、上下部プレート間を連結する連結部が、前後方向に分離した複数個の部材から構成されているため、連結部が前後方向にせん断変形しやすい構造を有しており、このため、歩行中または走行中には、連結部が前後方向に適度にせん断変形して、上部プレートが前後に揺動することができ、これにより、スムーズなライド感を得ることができる。
【００１４】
さらに、この場合には、連結部の上端が上部プレートの側面まで延設されて当該延設部が上部プレート側面に固着されていることにより、シューズの着地時には、連結部の左右方向のせん断変形による上部プレートの左右方向の横揺れを連結部の延設部により規制することができる。これにより、横方向の安定性を向上できる。
【００１５】
請求項２の発明では、請求項１において、上部プレートがその側縁部から上方に張り出す巻上げ部を有しており、連結部の上端が巻上げ部の側面まで上方に延設されるとともに、巻上げ部側面に固着されている。
【００１６】
この場合には、上部プレートの横揺れを規制する連結部上端の延設部の面積が増えるので、上部プレートの左右方向の横揺れを規制する作用を増大できるとともに、連結部上端と巻上げ部側面との間に広い固着面積を確保できるので、固着強度を向上でき、耐久性を向上できる。
【００１７】
請求項３の発明では、請求項１または２において、連結部の上端が、上部プレート側面または巻上げ部側面において、前後方向に張り出す張出部を有している。
【００１８】
この場合には、上部プレートの横揺れを規制する連結部上端の延設部の面積をさらに増大できるので、上部プレートの左右方向の横揺れを確実に規制できるようになるとともに、連結部上端と巻上げ部側面との間により広い固着面積を確保できるので、固着強度をさらに向上できる。
【００１９】
請求項４の発明では、請求項３において、連結部が側面視Ｔ字状の部材である。
【００２０】
この場合には、連結部の上端が上部プレート側面または巻上げ部側面において、前後および後方の双方に張り出している。
【００２１】
請求項５の発明では、請求項１ないし４のいずれかにおいて、連結部の上端が、上部プレート側面または巻上げ部側面において前後方向に連結されている。
【００２２】
この場合には、隣り合う各連結部の各上端が前後方向に連結されることで、上部プレートの横揺れを規制する連結部上端の延設部の面積を一層増大できるので、上部プレートの左右方向の横揺れをより確実に規制できるようになるとともに、連結部上端と巻上げ部側面との間にさらに広い固着面積を確保できるので、固着強度をより一層向上できる。
【００２３】
請求項６の発明に係るシューズのソール構造体は、上方に配置された上部プレートと、上部プレートの下方に配置された下部プレートと、上下部プレート間において前後方向に分離して複数個設けられ、上下部プレート間に空隙を形成しつつ、上部プレートの下面および下部プレートの上面を弾性的に連結する連結部とを備えている。連結部の下端は、下部プレートの上面を越えて下部プレートの側面まで下方に延設されるとともに、側面に固着されている。
【００２４】
請求項６の発明においては、シューズの着地時には、上下部プレート間に形成された空隙が圧縮変形することで、空隙がクッションホールとして作用して、衝撃荷重が吸収される。
【００２５】
また、この場合、上下部プレート間を連結する連結部が、前後方向に分離した複数個の部材から構成されているため、連結部が前後方向にせん断変形しやすい構造を有しており、このため、歩行中または走行中には、連結部が前後方向にせん断変形することで上部プレートが前後に揺動することができ、これにより、スムーズなライド感を得ることができる。
【００２６】
さらに、この場合には、連結部の下端が下部プレートの側面まで延設されて当該延設部が下部プレート側面に固着されていることにより、シューズの着地時には、連結部の左右方向のせん断変形による上部プレートの左右方向の横揺れを連結部の延設部により防止することができる。これにより、横方向の安定性を向上できる。
【００２７】
請求項７の発明では、請求項６において、連結部の下端が、下部プレートの側面において、前後方向に張り出す張出部を有している。
【００２８】
この場合には、上部プレートの横揺れを規制する連結部下端の延設部の面積をさらに増大できるので、上部プレートの左右方向の横揺れを確実に規制できるようになるとともに、連結部下端と下部プレート側面との間により広い固着面積を確保できるので、固着強度をさらに向上できる。
【００２９】
請求項８の発明では、請求項６または７において、連結部の下端が、下部プレート側面において前後方向に連結されている。
【００３０】
この場合には、隣り合う各連結部の各下端が前後方向に連結されることで、上部プレートの横揺れを規制する連結部下端の延設部の面積を一層増大できるので、上部プレートの左右方向の横揺れをより確実に規制できるようになるとともに、連結部下端と下部プレート側面との間にさらに広い固着面積を確保できるので、固着強度をより一層向上できる。
【００３１】
請求項９の発明では、請求項６において、下部プレートの下面にアウトソールが設けられ、アウトソールが下部プレートの側面を越えて上方に延設されており、連結部の下方への延設部が、アウトソールの上方への延設部と一体化されている。
【００３２】
この場合には、連結部がアウトソールと一体化されることで、連結部の剛性が増しており、これにより、上部プレートの左右方向の横揺れをより確実に規制できるようになって、横方向の安定性をさらに向上できる。
【００３３】
請求項１０の発明では、請求項１ないし９のいずれかにおいて、連結部が、上下部プレート間において上下方向に柱状に延びる部材から構成され、当該ソール構造体の内甲側または外甲側に配置されている。
【００３４】
請求項１０の発明においては、連結部がソール構造体の内甲側に配置されている場合には、上部プレートの内甲側への横揺れを効果的に規制でき、また、連結部がソール構造体の外甲側に配置されている場合には、上部プレートの外甲側への横揺れを効果的に規制できる。
【００３５】
請求項１１の発明では、請求項１ないし９のいずれかにおいて、連結部が、上下部プレート間において上下方向に柱状に延びる部材から構成され、当該ソール構造体の内甲側および外甲側に配置されている。
【００３６】
この場合には、上部プレートの内甲側および外甲側双方への横揺れを効果的に規制できる。
【００３７】
請求項１２の発明では、請求項１ないし９のいずれかにおいて、連結部が、当該ソール構造体の幅方向全体にわたって延びている。
【００３８】
この場合には、連結部全体の剛性が増しており、これにより、上部プレートの左右方向の横揺れをより確実に規制できるようになって、横方向の安定性をさらに向上できる。
【００３９】
請求項１３の発明では、請求項１ないし９のいずれかにおいて、上部プレートが、下凸状湾曲部および上凸状湾曲部を交互に配置してなる凹凸形状を有しており、連結部が上部プレートの下凸状湾曲部に設けられている。
【００４０】
請求項１４の発明では、請求項１ないし９のいずれかにおいて、下部プレートが、下凸状湾曲部および上凸状湾曲部を交互に配置してなる凹凸形状を有しており、連結部が下部プレートの上凸状湾曲部に設けられている。
【００４１】
請求項１５の発明では、請求項１において、下部プレートの下面にアウトソールが設けられ、アウトソールが、当該ソール構造体の踵部の後端において上方に延設された延設部を有するとともに、当該ソール構造体の踵部の後端において上下部プレート間に空隙を形成しかつ上下部プレート間を弾性的に連結する連結部がアウトソールの延設部から構成されている。
【００４２】
この場合には、踵部後端の連結部がアウトソールと一体化されているので、当該連結部の剛性が増しており、これにより、上部プレートの左右方向の横揺れを規制する効果を増大でき、横方向の安定性を向上できるとともに、踵部後端の連結部の耐久性を向上できる。
【発明の効果】
【００４３】
以上のように、本発明の第１の発明に係るソール構造体によれば、上下部プレート間に空隙を形成しかつ上下部プレートを弾性的に連結する連結部を前後方向に分離して複数個設けるとともに、連結部の上端を上部プレートの側面まで上方に延設して上部プレート側面に固着するようにしたので、シューズの着地時には、上下部プレート間の空隙が圧縮変形することで、衝撃荷重を吸収できる。また、この場合、各連結部が、前後方向に分離した複数個の部材から構成されているので、歩行中または走行中には、各連結部が前後方向にせん断変形することで上部プレートが前後に揺動することができ、これにより、スムーズなライド感を得ることができる。さらに、この場合には、連結部の上端が上部プレートの側面まで延設されて当該延設部が上部プレート側面に固着されているので、シューズの着地時には、連結部の左右方向のせん断変形による上部プレートの左右方向の横揺れを連結部の延設部により規制することができ、これにより、横方向の安定性を向上できる。
【００４４】
また、本発明の第２の発明に係るソール構造体によれば、上下部プレート間に空隙を形成しかつ上下部プレートを弾性的に連結する連結部を前後方向に分離して複数個設けるとともに、連結部の下端を下部プレートの側面まで下方に延設して下部プレート側面に固着するようにしたので、シューズの着地時には、上下部プレート間に形成された空隙が圧縮変形することで、衝撃荷重を吸収できる。また、この場合、各連結部が、前後方向に分離した複数個の部材から構成されているので、歩行中または走行中には、各連結部が前後方向にせん断変形することで上部プレートが前後に揺動することができ、これにより、スムーズなライド感を得ることができる。さらに、この場合には、連結部の下端が下部プレートの側面まで延設されて当該延設部が下部プレート側面に固着されているので、シューズの着地時には、連結部の左右方向のせん断変形による上部プレートの左右方向の横揺れを連結部の延設部により防止することができ、これにより、横方向の安定性を向上できる。
【図面の簡単な説明】
【００４５】
【図１】（ａ）は本発明の第１の実施例によるシューズ用ソール構造体の側面拡大図、（ｂ）は（ａ）のソール構造体のＢ−Ｂ線断面図である。
【図２】（ａ）はソール構造体（図１）が前方に揺動した状態を示す図、（ｂ）は（ａ）のソール構造体のＢ−Ｂ線断面図である。
【図３（ａ）】本発明の第２の実施例によるシューズ用ソール構造体の側面拡大図である。
【図３（ｂ）】図３（ａ）のソール構造体のＢ−Ｂ線断面図である。
【図４】（ａ）はソール構造体（図３）が前方に揺動した状態を示す図、（ｂ）は（ａ）のソール構造体のＢ−Ｂ線断面図である。
【図５】（ａ）は本発明の第３の実施例によるシューズ用ソール構造体の側面拡大図、（ｂ）は（ａ）のソール構造体のＢ−Ｂ線断面図である。
【図６】（ａ）はソール構造体（図５）が前方に揺動した状態を示す図、（ｂ）は（ａ）のソール構造体のＢ−Ｂ線断面図である。
【図７】（ａ）は本発明の第４の実施例によるシューズ用ソール構造体の側面拡大図、（ｂ）は（ａ）のソール構造体の長手方向中心線に沿った断面図、（ｃ）は（ａ）のソール構造体の後端面図である。
【図８】（ａ）は本発明の第５の実施例によるシューズ用ソール構造体の側面図、（ｂ）は（ａ）のソール構造体の長手方向中心線に沿った断面図である。
【図９】図８（ａ）のIX-IX線断面図である。
【図１０】本発明の他の実施例４によるシューズ用ソール構造体の幅方向断面図であって、前記第５の実施例の図９に相当している。
【図１１】本発明の他の実施例４Ａによるシューズ用ソール構造体の幅方向断面図であって、前記第５の実施例の図９に相当している。
【図１２】本発明の他の実施例４Ｂによるシューズ用ソール構造体の長手方向中心線に沿った断面図である。
【図１３】本発明の他の実施例４Ｃによるシューズ用ソール構造体の長手方向中心線に沿った断面図である。
【図１４】本発明の他の実施例４Ｄによるシューズ用ソール構造体の長手方向中心線に沿った断面図である。
【図１５】本発明の他の実施例５によるシューズ用ソール構造体の長手方向中心線に沿った断面図である。
【図１６】本発明の他の実施例５Ａによるシューズ用ソール構造体を踵側から見た後面図である。
【図１７】本発明の他の実施例５Ｂによるシューズ用ソール構造体を踵側から見た後面図である。
【発明を実施するための形態】
【００４６】
以下、本発明の実施例を添付図面に基づいて説明する。
【実施例１】
【００４７】
図１および図２は、本発明の第１の実施例によるシューズ用ソール構造体を説明するための図であって、図１（ａ）はソール構造体の側面拡大図、（ｂ）は（ａ）のソール構造体のＢ−Ｂ線断面図、図２（ａ）は図１のソール構造体が前方に揺動した状態を示す図、（ｂ）は（ａ）のソール構造体のＢ−Ｂ線断面図である。ここでは、踵部を含むソール構造体を例にとって説明する。なお、これらの図において、同一符号は同一または相当部分を示している。また、図２（ａ）中、点線は変形前の状態を示しており、図１（ａ）に対応している。
【００４８】
図１に示すように、このソール構造体１は、上方に配置された上部プレート２と、上部プレート２の下方に配置された下部プレート３と、上下部プレート２、３間において前後方向（図１（ａ）左右方向）に分離して複数個設けられ、上下部プレート２、３間に空隙１０を形成しつつ、上部プレート２の下面２ａおよび下部プレート３の上面３ａを弾性的に連結する連結部４、５、６とを備えている。この例では、上部プレート２の下面２ａは、２つの上凸状湾曲部２ａ１、２ａ２と、これらの間に配置された下凸状湾曲部２ａ３からなる凹凸形状を有している。また、下部プレート３の上面３ａは、踵後端部が上方に傾斜している以外は、概ね平坦状に形成されている。下部プレート３の下部には、アウトソール７が設けられている。
【００４９】
上部プレート２は、好ましくは、その左右両側縁部から上方に張り出す巻上げ部２０を有している。また、上部プレート２の踵部は、その左右両側縁部のみならず後端縁部からも上方に張り出す巻上げ部２０を有しており、ヒールカップ状に形成されている。図示していないが、巻上げ部２０の内側面には、シューズのアッパーの下部が固着されるようになっている。連結部５の上端の一部は、上部プレート２の下面２ａを越えて、巻上げ部２０の側面まで上方に延設されるとともに、その延設部５ａは巻上げ部側面に固着（例えば接着）されている。
【００５０】
この例では、連結部５についてのみ、上端に延設部を設けた例を示したが、残りの連結部４、６についても同様に上端に延設部を設け、これを巻上げ部側面に固着するようにしてもよい。
【００５１】
各連結部４、５、６は、いずれも上下部プレート２、３間において上下方向に柱状に延びる部材から構成されている。連結部４は踵最後端縁部に１個設けられ、連結部５は踵部の前後方向中央部（下凸状湾曲部２ａ３の位置）において内甲側および外甲側の各側縁部に１個ずつ（計２個）設けられ、連結部６は踵部の前端部において内甲側および外甲側の各側縁部に１個ずつ（計２個）設けられている。
【００５２】
各連結部４、５、６は、図１に示す例では、上方への延設部を除いて、いずれも載頭角錐台形状のものを示している。なお、各連結部４、５、６の形状は、これには限定されず、図１に示すものと上下逆向きの載頭角錐台形状でもよく、または角柱形状でもよく、あるいは、その他の任意の形状を採用し得る。
【００５３】
上下部プレート２、３は、好ましくは樹脂製であり、使用する樹脂材料としては、例えば、熱可塑性ポリウレタン（ＴＰＵ）やポリアミドエラストマー（ＰＡＥ）等の熱可塑性材料の他、エポキシ樹脂や不飽和ポリエステル樹脂等の熱硬化性材料も用いられる。また、エチレン−酢酸ビニル共重合体（ＥＶＡ）やラバー等を用いて一体成形することも可能である。
【００５４】
各連結部４、５、６は、弾性材料から構成されており、使用する弾性材料としては、例えば、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体などが用いられる。好ましくは、各連結部４、５、６は、上下部プレート２、３よりも低弾性および低硬度の材料から構成されている。
【００５５】
次に、本実施例の作用効果について図２を用いて説明する。
シューズの着地時において、ソール構造体１のアウトソール７が接地すると、上下部プレート２、３間に形成された空隙１０が圧縮変形することで、空隙１０がクッションホールとして作用して、衝撃荷重が吸収される。
【００５６】
このとき、上下部プレート２、３間を連結する連結部４、５、６が、前後方向に分離した複数個の柱状部材から構成されているため、各連結部４、５、６は前後方向にせん断変形しやすい構造を有しており、このため、歩行中または走行中には、各連結部４、５、６は前方（図２（ａ）矢印方向）に適度にせん断変形して、上部プレート２が前方に揺動（傾動）する（同図実線参照）。これにより、スムーズなライド感を得ることができる。
【００５７】
その一方、シューズの着地時において、上部プレート２に左右方向（図２（ｂ）左右方向）の横揺れが生じようとしても、連結部５の上端が上部プレート２の巻上げ部２０の側面まで延設されてその延設部５ａが巻上げ部側面に固着されているので、連結部５の左右方向のせん断変形による上部プレート２の左右方向の横揺れを連結部５の延設部５ａにより規制することができる。これにより、横方向の安定性を向上できる。
【００５８】
また、この場合、連結部５の上端の延設部５ａが巻上げ部側面に固着されていることで、上部プレート２の横揺れを規制する延設部５ａの面積が増えるので、上部プレート２の左右方向の横揺れを規制する作用を増大できるとともに、連結部上端と巻上げ部側面との間に広い固着面積を確保できるので、固着強度を向上でき、耐久性を向上できる。なお、連結部５の上端は、巻上げ部２０を越えて上部プレート２上方のミッドソールまたはアッパーの側面まで上方に延設されるとともに、その延設部がミッドソール側面またはアッパー側面に固着されていてもよい。この場合には、連結部が、巻上げ部側面との間、およびミッドソール側面またはアッパー側面との間にさらに広い固着面積を確保できるので、固着強度をさらに向上でき、耐久性をさらに向上できる。
【００５９】
前記第１の実施例において、各連結部４、５、６は、必ずしも単一の素材で構成されていなくてもよい。例えば図１（ｂ）中の一点鎖線で上下２つの領域に分けるとともに、各領域で異なる素材を用い（例えば上側領域を低硬度・低密度の素材にしかつ下側領域を高硬度・高密度の素材にし）、これらの素材を互いに固着するようにしてもよい。なお、２つの領域に分ける際の境界面は、図１（ｂ）中の一点鎖線には限定されない。
【００６０】
このように、連結部を異なる素材から構成することにより、連結部の剛性を制御して、前方および側方へのせん断変形をより細やかに制御できるようになり、これにより、上部プレートの側方への横揺れ性を規制しつつ、前方への横揺れ性を調整できるようになる。
【実施例２】
【００６１】
図３および図４は、本発明の第２の実施例によるシューズ用ソール構造体を説明するための図であって、図３（ａ）はソール構造体の側面拡大図、図３（ｂ）は図３（ａ）のソール構造体のＢ−Ｂ線断面図、図４（ａ）は図３のソール構造体が前方に揺動した状態を示す図、（ｂ）は（ａ）のソール構造体のＢ−Ｂ線断面図である。なお、これらの図において、前記第１の実施例と同一符号は、同一または相当部分を示している。また、図４（ａ）中、点線は変形前の状態を示しており、図３（ａ）に対応している。
【００６２】
この第２の実施例では、連結部５の上端の延設部５ａが、巻上げ部側面において前後方向に張り出す張出部５ｂを有している点が前記第１の実施例と異なっている。すなわち、この場合、連結部５は、側面視Ｔ字状に形成されている。図３（ａ）において、張出部５ｂは、連結部５の延設部５ａの前後方向長さｄの前後両側に延在する斜線領域である。
【００６３】
この第２の実施例においても、前記第１の実施例と同様に、シューズの着地時には、上下部プレート２、３間の空隙１０が圧縮変形することで、衝撃荷重が吸収される。このとき、各連結部４、５、６が前方（図４（ａ）矢印方向）に適度にせん断変形して、上部プレート２が前方に揺動（傾動）することで（同図実線参照）、スムーズなライド感を得ることができる。また、このとき、連結部５の張出部５ｂが前後方向に配設された部材であるため、上部プレート２の前後への揺動の際に張出部５ｂが上部プレート２の動きを阻害することはない。
【００６４】
その一方、シューズの着地時において、上部プレート２に左右方向（図４（ｂ）左右方向）の横揺れが生じようとしたとき、連結部５の上端の延設部５ａが巻上げ部側面に固着されているばかりでなく、延設部５ａの前後両側に張出部５ｂが形成されているので、連結部５の左右方向のせん断変形による上部プレート２の左右方向の横揺れを連結部５の延設部５ａおよび張出部５ｂにより確実に規制することができる。これにより、横方向の安定性を向上できる。
【００６５】
また、この場合、連結部上端と巻上げ部側面との間に広い固着面積を確保できるので、固着強度を向上でき、耐久性を向上できる。さらに、この場合には、連結部上端に上部プレート２との広い固着面積が確保されることで、上部プレート２が連結部上端との固着部分およびその近傍領域で変形を起こしにくくなっており、これにより、シューズ着用者が連結部５からの突上げを感じにくくすることができるとともに、連結部上端が上部プレートとの固着面の下端を基点とする剥離を生じるのを防止できる。
【００６６】
これに対して、前記第１の実施例では、連結部上端の延設部５ａに張出部５ｂが設けられておらず、連結部上端と巻上げ部側面との間の固着面積が広くないので、当該第２の実施例のものと比べると、上部プレート２が連結部上端との固着部分およびその近傍領域で変形を起こしやすくなっており、シューズ着用者が連結部５からの突上げを感じやすくなっている。
【００６７】
なお、この第２の実施例では、連結部５の張出部５ｂを巻上げ部側面において前方および後方の双方に張り出すことにより、連結部５を側面視Ｔ字状に形成した例を示したが、張出部は、前方または後方のいずれか一方のみに張り出すことにより、側面視逆Ｌ字状に形成するようにしてもよい。
【００６８】
また、第２の実施例では、連結部５の延設部５ａにのみ張出部５ｂが設けられた例を示したが、残りの連結部４、６についてもそれぞれ上方に延設してその延設部に張出部を設けるようにしてもよい。さらに、この場合において、これらの連結部４、５、６の各延設部を巻上げ部側面において前後方向に連結するようにしてもよい。
【００６９】
この場合には、隣り合う各連結部４、５、６の各上端が前後方向に連結されることで、上部プレート２の横揺れを規制する連結部上端の延設部の面積を一層増大できるので、上部プレート２の左右方向の横揺れをより確実に規制できるようになるとともに、連結部上端と巻上げ部側面との間にさらに広い固着面積を確保できるので、固着強度および耐久性をより一層向上できる。
【実施例３】
【００７０】
図５および図６は、本発明の第３の実施例によるシューズ用ソール構造体を説明するための図であって、図５（ａ）はソール構造体の側面拡大図、（ｂ）は（ａ）のソール構造体のＢ−Ｂ線断面図、図６（ａ）は図５のソール構造体が前方に揺動した状態を示す図、（ｂ）は（ａ）のソール構造体のＢ−Ｂ線断面図である。なお、これらの図において、前記第１、第２の実施例と同一符号は、同一または相当部分を示している。また、図６（ａ）中、点線は変形前の状態を示しており、図５（ａ）に対応している。
【００７１】
前記第１、第２の実施例では、上部プレート２のみが凹凸状に形成された例を示したが、この第３の実施例では、上下部プレート２、３の双方が凹凸状に形成されている。すなわち、下部プレート３の上面３ａは、２つの下凸状湾曲部３ａ１、３ａ２と、これらの間に配置された上凸状湾曲部３ａ３からなる凹凸形状を有している。下部プレート３の上凸状湾曲部３ａ３は、上部プレート２の下凸状湾曲部２ａ３に対向配置されており、連結部５は、下部プレート３の上凸状湾曲部３ａ３および上部プレート２の下凸状湾曲部２ａ３の間に配置されている。
【００７２】
この第３の実施例においても、前記第２の実施例と同様に、シューズの着地時には、上下部プレート２、３間の空隙１０が圧縮変形することで、衝撃荷重が吸収される。このとき、上部プレート２の凹凸状面のみならず下部プレート３の凹凸状面についても、扁平となる向きに変形するので、クッション性を向上できる。また、このとき、各連結部４、５、６が前方（図６（ａ）矢印方向）に適度にせん断変形して、上部プレート２が前方に揺動（傾動）することで（同図実線参照）、スムーズなライド感を得ることができる。
【００７３】
その一方、シューズの着地時において、上部プレート２に左右方向（図６（ｂ）左右方向）の横揺れが生じようとしたとき、連結部５の上端の延設部５ａおよびその両側の張出部５ｂが巻上げ部側面に固着されているので、連結部５の左右方向のせん断変形による上部プレート２の左右方向の横揺れを連結部５の延設部５ａおよび張出部５ｂにより確実に規制することができ、これにより、横方向の安定性を向上できる。また、この場合には、上下部プレート２、３間において、連結部５の高さが低くなっているので、左右方向のせん断変形による上部プレート２の横揺れが生じにくくなっている。
【実施例４】
【００７４】
図７は、本発明の第４の実施例によるシューズ用ソール構造体を説明するための図であって、図７（ａ）はソール構造体の側面拡大図、（ｂ）は（ａ）のソール構造体の長手方向中心線断面図、（ｃ）は（ａ）のソール構造体の後端面図である。なお、これらの図において、前記第１ないし第３の実施例と同一符号は、同一または相当部分を示している。
【００７５】
この第４の実施例では、図７（ａ）ないし（ｃ）に示すように、下部プレート３の下面に配設されたアウトソール７が、ソール構造体１の踵部後端において下部プレート３の後端面を越えて上方に延設されており、その延設部７ａが踵部後端において上下部プレート２、３を弾性的に連結する連結部として構成されている。なお、アウトソール７を構成する素材としては、ソリッドラバーや発泡ラバーの他、ＥＶＡ等の熱可塑性合成樹脂の発泡体などを用いることも可能である。
【００７６】
この場合には、踵後端の連結部がアウトソール７と一体化されることで、連結部の剛性が増しており、これにより、上部プレート２の左右方向の横揺れをより確実に規制できるようになって、横方向の安定性をさらに向上できる。その一方、長期間の使用の際には、ソール構造体１の中で踵後端の部位が最も剥離を起こしやすいが、この場合、踵後端の連結部がアウトソール７と一体化されているので、固着力を向上でき、剥離の発生を防止できる。
【実施例５】
【００７７】
図８および図９は、本発明の第５の実施例によるシューズ用ソール構造体を説明するための図であって、図８（ａ）はソール構造体の側面図、（ｂ）は（ａ）のソール構造体の長手方向中心線断面図、図９は図８（ａ）のIX-IX線断面図である。なお、これらの図において、前記第１ないし第４の実施例と同一符号は、同一または相当部分を示している。
【００７８】
図８（ａ）、（ｂ）に示すように、この第５の実施例では、上下部プレート２、３がソール構造体１の踵部から前足部まで延設されている。上下部プレート２、３間の連結部のうち、踵後端の連結部は、アウトソール７の上方への延設部７ａにより構成されており、また連結部６の前方には、空隙１０を隔てて連結部８が設けられている。連結部８の前方には空隙１０を隔てて、ミッドソール９からなる連結部が設けられている。ミッドソール９は、ソール構造体１の前足部において、上下部プレート２、３間を弾性的に連結するとともに、上部プレート２の前端縁を越えてソール構造体１のつま先部まで延設されている。なお、ソール構造体１の前足部後端から踵部にかけて、上部プレート２の上には、ミッドソール９’が設けられている（図８（ｂ）参照）。ミッドソール９’は、上部プレート２の巻上げ部２０に沿って上方（同図右方）に延びる巻上げ部９’ａを有している（図９参照）。
【００７９】
連結部５の上方への延設部５ａおよび張出部５ｂ、連結部６の上方への延設部６ａおよび張出部６ｂ、ならびに連結部８の上方への延設部８ａおよび張出部８ｂは、前後方向に連結されて一体化されている（図８（ａ）参照）。なお、連結部６の延設部６ａ、張出部６ｂ、および連結部８の延設部８ａ、張出部８ｂは、巻上げ部２０を越えて上方に延びており、ここでは図示していないが、その延設部はシューズのアッパーに固着されるようになっている。
【００８０】
この第５の実施例においては、シューズの着地時には、上下部プレート２、３間の空隙１０が圧縮変形することで、衝撃荷重が吸収される。このとき、アウトソール７の延設部７ａ、および各連結部５、６、８、ならびに上下部プレート間のミッドソール９が前方（図８（ａ）上方）に適度にせん断変形して、上部プレート２が前方に揺動（傾動）することで、スムーズなライド感を得ることができる。
【００８１】
その一方、シューズの着地時において、上部プレート２に左右方向（図８（ａ）紙面垂直方向）の横揺れが生じようとしたとき、アウトソール延設部７ａ、および各連結部５、６、８の延設部５ａ、６ａ、８ａおよびその張出部５ｂ、６ｂ、８ｂが巻上げ部側面に固着されており、しかも各張出部５ｂ、６ｂ、８ｂが前後方向に連結されて一体化されているので、上部プレート２の左右方向の横揺れをこれらの延設部５ａ、６ａ、７ａ、８ａおよび張出部５ｂ、６ｂ、８ｂ、ならびに前後方向の連結部分により確実に規制することができ、これにより、横方向の安定性を一層向上できる。なお、この場合には、樹脂製の上部プレート２の側面がＥＶＡ等の発泡体材料で覆われることになるので、ソフトなイメージの外観にすることができる。
【他の実施例１】
【００８２】
前記第１ないし第５の実施例では、連結部をソール構造体の内甲側および外甲側の各側縁部の双方に配置することにより、上部プレートの内甲側および外甲側双方への横揺れを効果的に規制した例を示したが、本発明の適用はこれに限定されない。
【００８３】
連結部は、ソール構造体の内甲側または外甲側の各側縁部のいずれか一方のみに配置するようにしてもよい。例えば、連結部をソール構造体の内甲側の側縁部にのみ配置した場合には、上部プレートの内甲側への横揺れを規制できるとともに、走行時または歩行時の回内防止に寄与でき、また、連結部をソール構造体の外甲側の側縁部にのみ配置した場合には、上部プレートの外甲側への横揺れを規制できるとともに、走行時または歩行時の回外防止に寄与できる。
【００８４】
また、前記各実施例では、連結部を上下方向に柱状に延びる部材から構成した例を示したが、本発明の適用はこれに限定されない。連結部をソール構造体の幅方向全体にわたって（つまり内甲側側縁部から外甲側側縁部にかけて）桟状に延びる部材であってもよい。この場合には、連結部全体の剛性が増しており、これにより、上部プレートの左右方向の横揺れをより確実に規制できるようになって、横方向の安定性をさらに向上できる。
【他の実施例２】
【００８５】
前記第１ないし第５の実施例では、上部プレート２のみ、または上下部プレート２、３の双方が凹凸形状を有している場合を例にとって説明したが、本発明は、下部プレート３のみが凹凸形状を有しているものにも同様に適用できる。また、本発明は、上下部プレート２、３の双方が平坦状に形成されているものにも同様に適用できる。
【他の実施例３】
【００８６】
前記第１ないし第５の実施例では、上下部プレート２、３間を連結する連結部の上端が上部プレート２の下面２ａを越えて上方に延設されてその延設部が上部プレート２の巻上げ部２０の側面に固着された例を示したが、本発明の適用はこれに限定されない。
【００８７】
連結部の下端を下部プレート３の上面３ａを越えて下方に延設して、その延設部を下部プレート３の側面に固着するようにしてもよい。また、この場合、延設部から前後方向に張り出す張出部を設けるようにしてもよく、さらに、各連結部の各張出部を前後方向に連結するようにしてもよい。
【００８８】
この場合においても、シューズの着地時には、各連結部の左右方向のせん断変形による上部プレート２の左右方向の横揺れを各連結部の各延設部および（または）各張出部により防止することができ、横方向の安定性を向上できる。
【他の実施例４〜４Ｄ】
【００８９】
前記第１ないし第５の実施例では、連結部４、５、６の内側面（シューズ幅方向内側面）が上下部プレート２、３間において下部プレート３から上部プレート２まで直線状に延びている例を示すとともに（図１（ｂ）、図２（ｂ）、図３（ｂ）、図４（ｂ）、図５（ｂ）、図６（ｂ）、図９参照）、連結部４の前側面（シューズ前後方向前側面）が上下部プレート２、３間において下部プレート３から上部プレート２まで直線状に延びている例を示したが（図１（ａ）、図３（ａ）、図５（ａ）、図７（ｂ）参照）、本発明の適用はこれらに限定されない。
【００９０】
図１０ないし図１４は、本発明の他の実施例４〜４Ｄによるソール構造体を示しており、各図はそれぞれ異なる態様を示している。なお、これらの図において、前記第１ないし第５の実施例と同一符号は同一または相当部分を示している。また、図１０および図１１では、連結部５を例にとって説明しているが、他の連結部に適用することも可能である。
【００９１】
図１０に示す態様（他の実施例４）では、連結部５の内側面（踵中央側の面）が、下部プレート３に対して略直交しつつ上方に延びる立壁面５０と、立壁面５０の上端からシューズ幅方向外側に向かって斜め上方に延びる傾斜面５１とから構成されている。すなわち、この場合には、上部プレート２の下面２ａと連結部５の傾斜面５１との間には、空隙Ｃ１が形成されている。また、これにより、上部プレート２の下面２ａのうち下部プレート３上面と対向する平坦状面への連結部５の接着面内側縁部が、連結部５の下部プレート３上面との接着面内側縁部よりかなり外側に移動している。
【００９２】
シューズの着地時にアウトソール７が接地したとき、アウトソール７からソール構造体１に作用する上向きの荷重は、下部プレート３から連結部５を介して上部プレート２に作用し、上部プレート２からミッドソール９’を介して着用者の足裏に作用する。
【００９３】
このとき、下部プレート３の上面から上部プレート２の下面２ａまで延びる連結部５の上部プレート下面２ａとの接点が、シューズ着用者の足裏中心付近から離れて外側（つまり踵外周側）に移動しているので、接地面から下部プレート３に作用する上向きの荷重が連結部５を介してそのまま上部プレート２の中心付近に作用するのを回避でき、これにより、シューズの着地時に連結部５から着用者の足裏への突き上げを緩和できる。また、上部プレート２の下面２ａと連結部５の傾斜面５１との間に形成された空隙Ｃ１によって、シューズ着地時のクッション性を向上できる。
【００９４】
その一方、前記第１ないし第５の実施例では、連結部４、５、６の内側面（シューズ幅方向内側面）が上下部プレート２、３間において下部プレート３から上部プレート２まで直線状に延びているので（図１（ｂ）、図２（ｂ）、図３（ｂ）、図４（ｂ）、図５（ｂ）、図６（ｂ）、図９参照）、シューズの着地時には、接地面から下部プレート３に作用する上向きの荷重が、連結部５を介してそのまま上部プレート２に作用することになる。
【００９５】
また、他の実施例４によれば、上部プレート２の下面２ａと連結部５の傾斜面５１との間に形成された空隙Ｃ１によって、ソール構造体全体を軽量化できる。なお、他の実施例４においても、連結部５上端の延設部５ａが上部プレート２の巻上げ部２０側面に固着されているので、連結部５と巻上げ部２０との間に十分な固着強度が確保されている。
【００９６】
なお、この場合においても、連結部５は、上下部プレート２、３間において側面視載頭角錐台形状を有しているので（図８等参照）、シューズ着用者の歩行中または走行中には、連結部５が前方（図１０紙面奥側）に適度にせん断変形して、上部プレート２が前方に揺動（傾動）することになる。これにより、前記各実施例と同様に、スムーズなライド感を得ることができる（この点は、以下の他の実施例４Ａ〜４Ｄにおいても同様）。
【００９７】
図１１に示す態様（他の実施例４Ａ）では、連結部５の内側面が、下部プレート３に対して略直交しつつ上方に延びる立壁面５０１と、上部プレート２に対して略直交しつつ下方に延びる立壁面５０２と、これらの立壁面５０１、５０２の間に形成された略Ｖ字状の切込み５２とから構成されている。すなわち、この場合には、切込み５２によって空隙Ｃ２が形成されている。
【００９８】
シューズの着地時にアウトソール７が接地したとき、連結部５の内側面（シューズ幅方向内側面）に形成された略Ｖ字状の切込み５２による空隙Ｃ２によって、接地面から下部プレート３に作用する上向きの荷重が連結部５を介してそのまま上部プレート２に作用するのを回避でき、これにより、シューズの着地時に連結部５から着用者の足裏への突き上げを緩和できる。また、空隙Ｃ２によって、シューズ着地時のクッション性を向上できるとともに、ソール構造体全体を軽量化できる。さらに、この場合においても、連結部５上端の延設部５ａが上部プレート２の巻上げ部２０側面に固着されていることで、連結部５と巻上げ部２０との間の固着強度を確保できる。
【００９９】
図１２に示す態様（他の実施例４Ｂ）では、ソール構造体１の踵部後端に設けられた、アウトソール７の上方への延設部７ａが、シューズ前方に向かって空隙１０内に張り出す張出部７０を有している。
【０１００】
図１３に示す態様（他の実施例４Ｃ）では、アウトソール７の延設部７ａが、シューズ前方に向かって空隙１０内に張り出す張出部７０を有するとともに、張出部７０の下部には、踵部後端側に向かって略Ｕ字状に湾曲しつつ延びる湾曲部７０ａが形成されている。
【０１０１】
図１４に示す態様（他の実施例４Ｄ）では、アウトソール７の延設部７ａが、シューズ前方に向かって空隙１０内に張り出す張出部７０を有するとともに、張出部７０には、踵部後端側に向かって切り込まれた略Ｖ字状の切込み７０ｂが形成されている。
【０１０２】
これら図１２ないし図１４に示す態様では、張出部７０によって、アウトソール７の延設部７ａと上部プレート２との間に大きな接着面を確保できるので、シューズ１の踵後端から着地したときに、接地面から下部プレート３を介して上部プレート２に作用する上向きの荷重を張出部７０により分散でき、これにより、踵後端側の接地面からの突き上げを緩和できる。また、図１３および図１４に示す態様では、湾曲部７０ａおよび切込み７０ｂによって、シューズの踵着地時のクッション性を向上できる。
【他の実施例５〜５Ｂ】
【０１０３】
図１５ないし図１７は、本発明の他の実施例５〜５Ｂによるソール構造体を示しており、各図はそれぞれ異なる態様を示している。なお、これらの図において、前記第１ないし第５の実施例または前記他の実施例４〜４Ｄと同一符号は同一または相当部分を示している。
【０１０４】
図１５に示す態様（他の実施例５）では、アウトソール７の延設部７ａが、シューズ前方に向かって空隙１０内に張り出す張出部７０を有するとともに、張出部７０の下方には、踵部後端中央に貫通する貫通孔７０ｃが形成されている。貫通孔７０ｃは、例えば円形状断面を有している。
【０１０５】
図１６に示す態様（他の実施例５Ａ）では、張出部７０の下方において踵部後端中央に貫通する貫通孔７０ｃ’が、踵部後端中央において左右に延びる長孔状に形成されており、図１７に示す態様（他の実施例５Ｂ）では、張出部７０の下方において踵部後端に貫通する貫通孔７０ｃ１、７０ｃ２が、踵部後端中央の左右両側に一つずつ形成されている。
【０１０６】
これら図１５ないし図１７に示す態様によれば、シューズ１の踵後端から着地したとき、アウトソール７の延設部７ａのうち各貫通孔の形成個所においてクッション性を向上でき、これにより、踵着地時の衝撃吸収緩和性を向上できるとともに、延設部７ａのうち貫通孔の形成されていない個所においては、前記第１ないし第５の実施例または前記他の実施例４〜４Ｄと同様に、踵着地時の安定性を確保できる。さらに、貫通孔を形成することによって、シューズ構造体全体を軽量化できる。また、この場合においても、アウトソール７の延設部７ａと上部プレート２の巻上げ部２０との接着面を確保できるので、アウトソール延設部７ａと巻上げ部２０との固着強度を維持できる。
【０１０７】
なお、アウトソール７の延設部７ａにおいて、踵部後端に貫通する貫通孔の個数は、３つ以上であってもよい。
【産業上の利用可能性】
【０１０８】
以上のように、本発明は、シューズ用ソール構造体に有用であり、とくにクッション性、スムーズなライド感、および横方向の安定性を要求されるものに適している。
【符号の説明】
【０１０９】
１：  ソール構造体
２：  上部プレート
２０：  巻上げ部
２ａ：  下面
２ａ１、２ａ２：  上凸状湾曲部
２ａ３：  下凸状湾曲部
３：  下部プレート
３ａ：  上面
３ａ１、３ａ２：  下凸状湾曲部
３ａ３：  上凸状湾曲部
４、５、６：  連結部
５ａ：  延設部
５ｂ：  張出部
【先行技術文献】
【特許文献】
【０１１０】
【特許文献１】国際公開第２００６／１２９８３７号パンフレット（第１Ａ図参照）
【特許文献２】特開平９−２４８２０３号公報（図２参照）
【図１】
0004874349.tif 000002
【図２】
0004874349.tif 000003
【図３（ａ）】
0004874349.tif 000004
【図３（ｂ）】
0004874349.tif 000005
【図４】
0004874349.tif 000006
【図５】
0004874349.tif 000007
【図６】
0004874349.tif 000008
【図７】
0004874349.tif 000009
【図８】
0004874349.tif 000010
【図９】
0004874349.tif 000011
【図１０】
0004874349.tif 000012
【図１１】
0004874349.tif 000013
【図１２】
0004874349.tif 000014
【図１３】
0004874349.tif 000015
【図１４】
0004874349.tif 000016
【図１５】
0004874349.tif 000017
【図１６】
0004874349.tif 000018
【図１７】
0004874349.tif 000019